Podtech/llm-jp-corpus-v4-ja_patent huggingface dataset:
(57)【要約】      （修正有）【課題】いち早く温風が出る為、アイドリング放置や、故意な空吹かしが無くなり燃料の消費を抑え、又、排気ガスも抑えられる。【解決手段】ダクト内に電気式ヒーターを配列し温風を出す。従来のヒーターと連動する為の制御装置、温度センサーを配置する。【選択図】図１
2009196620.tif 000002
【特許請求の範囲】
【請求項１】
電気式熱源による自動車内空気調和暖房装置
【発明の詳細な説明】
【技術分野】
【０００１】本発明は自動車空気調和の改良に関するものである。
【背景技術】
【０００２】従来の自動車暖房装置はエンジン熱を利用した熱源の為、暖房開始まで時間がかかる為、アイドリング状態で放置や、故意に空吹かしでエンジンを温めていた。
【発明の開示】
【発明が解決しようとする課題】
【０００３】従来の暖房装置では暖房開始までの間燃料を無駄に消費し、排気ガスを余分に排出していたか、寒さに対する不快感に我慢していた。
【課題を解決するための手段】
【０００４】本発明は電気式熱源による暖房装置を取り付けることにより、いち早く温風がでるように改良したものである。
【発明の効果】
【０００５】本発明はいち早く温風が出る為、アイドリング放置や空吹かしが無くなり、寒さに対する不快感、余分な排気ガスを無くす効果が得られる。
【発明を実施するための最良の形態】
【０００６】エンジン始動直後エンジン回転で得る電圧を利用し、電気式熱源に変換しいち早く温風を出す。【０００７】エンジンが温まり従来の暖房が作動すると停止する。
【実施例】
【０００８】寒冷時車内にてヘヤードライヤーを持ち込み実験してみた所、寒さに対する不快感も無く、暖かいと実感した。
【図面の簡単な説明】
【０００９】ダクト内に電気式ヒーターを配列し温風を出す。
従来のヒーターと連動する為の制御装置、温度センサーを配置する。
１ダクト２ファン３水冷式ヒーター４電気式ヒーター５温度センサー６制御装置
【図１】
2009196620.tif 000003
【図２】
2009196620.tif 000004
【手続補正書】
【提出日】平成20年4月23日(2008.4.23)
【手続補正１】
【補正対象書類名】明細書
【補正対象項目名】全文
【補正方法】変更
【補正の内容】
【発明の詳細な説明】
【技術分野】
【０００１】本発明は自動車空気調和の改良に関するものである。
【背景技術】
【０００２】従来の自動車暖房装置はエンジン熱を利用した熱源の為、暖房開始まで時間がかかる為、アイドリング状態で放置や、故意に空吹かしでエンジンを温めていた。
【発明の開示】
【発明が解決しようとする課題】
【０００３】従来の暖房装置では暖房開始までの間燃料を無駄に消費し、排気ガスを余分に排出していたか、寒さに対する不快感に我慢していた。
【課題を解決するための手段】
【０００４】本発明は電気式熱源による暖房装置を取り付けることにより、いち早く温風がでるように改良したものである。
【発明の効果】
【０００５】本発明はいち早く温風が出る為、アイドリング放置や空吹かしが無くなり、寒さに対する不快感、余分な排気ガスを無くす効果が得られる。
【発明を実施するための最良の形態】
【０００６】エンジン始動直後エンジン回転で得る電圧を利用し、電気式熱源に変換しいち早く温風を出す。【０００７】エンジンが温まり従来の暖房が作動すると停止する。
【実施例】
【０００８】寒冷時車内にてヘヤードライヤーを持ち込み実験してみた所、寒さに対する不快感も無く、暖かいと実感した。
【図面の簡単な説明】
【０００９】
【図１】は従来の水冷式ヒーターダクト内部に電気式ヒーターを配列した図である
【図２】は水冷と電気式の連動制御のフロー図である。
【符号の説明】
【００１０】１  ダクト
２  ファン
３  水冷式ヒーター
４  電気式ヒーター
５  温度センサー
６  制御装置
(57)【要約】      （修正有）【課題】金属と同等の強度を保有し、しかも軽く、熱伝導性の良い、水中での呼吸器具であるレギュレータのセカンドステージ用筐体を提供する。【解決手段】材料としてエポキシ樹脂やビニルエステル樹脂にランダムカーボンファイバを添加した組成物を用い、１２０〜１５０℃の温度、１５０〜２２０バールの圧力で鋳型成形した後、最大３００バールまでの圧力で完全に硬化するまで二次の鋳型成形をすることを特徴とする、セカンドステージ用筐体。【選択図】なし【特許請求の範囲】
【請求項１】
水中で使用するための呼吸器具のレギュレータのセカンドステージ用筐体であって、エポキシ樹脂マトリックス又はビニルエステル樹脂マトリックス中にランダムカーボンファイバを含んでなる材料を含み、該材料は、１２０〜１５０℃のオーダーの温度に加熱された鋳型に入れられ、１５０〜２２０バールのオーダーの圧力で単一鋳型成形され、次いで最大３００バールまでの圧力で数分間、完全に硬化するまで二鋳型成形されることを特徴とする、セカンドステージ用筐体。
【請求項２】
エポキシ樹脂又はビニルエステル樹脂のマトリックス中にランダムカーボンファイバを含んでなる前記出発材料は、２０００〜２５００ｇ／ｍ2のオーダーの重量、１．４０〜１．６０ｇ／ｍ3の密度、２５〜５０ｍｍの繊維長及び約５０〜６０％の公称繊維体積を有するシート状物として製造されることを特徴とする、請求項１に記載の筐体。
【請求項３】
SMC（Sheet Moulding Compound、シートモールディングコンパウンド）法として知られているタイプの製造プロセスを利用して製作される、請求項１又は２に記載の筐体。
【発明の詳細な説明】
【技術分野】
【０００１】
本発明は呼吸器具のためのレギュレータに関し、より詳細には当該レギュレータのセカンドステージの筐体に関する。
【背景技術】
【０００２】
呼吸器具のセカンドステージ用筐体、特に水中で使用する呼吸器具のセカンドステージ用筐体は、金属や炭素繊維強化プラスチック材料、ガラス強化プラスチック等で製作されることが常である。金属製のものは熱伝導性が良好で、これは確かに重要なことではあるが、非常に重く、特にマウスピースによって口に保持しなければならないことを考えると問題である。強化プラスチックやガラス強化プラスチック製のものは、肌理が粗いという欠点により、触感に劣り快適でなく、また、引掻きや剥れに対する耐性がほとんどなく、熱伝導体でもない。この後者の欠点を解消するためになされた提案として、イタリア特許出願第２００４００００５８号（出願日：２００４年７月２日、出願人：マレス・ソシエタ・ペル・アチオニ）において、熱伝導性(thermoducting)熱可塑性ポリマー、特に、ポリアミドやポリカーボネート、PET、TPUからなるマトリックスと、このマトリックス中に分散されたフィラーとしての金属粒子やセラミック粒子、グラファイト、炭素繊維とを含む工学的ポリマーを前記レギュレータの筐体の製造に用いることが記載されている。
【発明の概要】
【発明が解決しようとする課題】
【０００３】
しかしながらこれは、熱可塑性材料の使用に関連する上述中の他の問題を解消するものではない。
【課題を解決するための手段】
【０００４】
本発明において、全く驚くべきことに、Hexcel社が製造している商品名HexMC型のエポキシ樹脂、或いはPOLYNT社が製造しているHUP型のビニルエステルをマトリックスとしたランダムカーボンファイバ複合体を用い、SMC（Sheet Moulding Compound; シートモールディングコンパウンド）製造プロセスで上記筐体を製作すると、非常に軽く、金属とほぼ同等といえるほど非常に強く、引掻きや剥れに対する耐性に優れ、且つ優良な熱伝導性を示すセカンドステージが得られることが判明した。
【発明を実施するための形態】
【０００５】
本発明の更なる目的と利点は、以下の記載からより明らかなものとなろう。
【０００６】
本発明に係る筐体を成形するための出発材料は、エポキシ樹脂やビニルエステル樹脂のマトリックス中にランダムカーボンファイバを含み、通常、２０００〜２５００ｇ／ｍ2のオーダーの重量、１．４０〜１．６０ｇ／ｍ3の密度、２５〜５０ｍｍの繊維長、約５０〜６０％の公称繊維体積を有するシート状物として製造される。
【０００７】
成形ステージでは、１２０〜１５０℃のオーダーの温度に加熱された鋳型に入れた出発材料を、１５０〜２２０バールのオーダーの圧力で一鋳型で成形し、次いで最大３００バールまでの圧力で数分間、二鋳型で成形した後、このようにして硬化された材料を鋳型から取り出す。
【０００８】
成形プロセスにおいて、材料の収縮は殆どなく、得られる成形体には内部応力がない。
【０００９】
この材料を用いることで、レギュレータのセカンドステージの筐体として、非常に軽く、殆ど金属と同等といえるまでに非常に強く、引掻きや剥れに対する耐性に優れ、且つ最適な熱伝導性を有する示す筐体を得ることができる。
(57)【要約】【課題】ホルダーに綴じられた新聞を閲覧するとき「紙面」が垂れ下がったりせず、閲覧できることを特徴とする両面見台つき新聞ホルダーを提供する。【解決手段】複数個のくり抜きがあり剛性のある新聞紙大の薄い板を、新聞ホルダー軸の新聞紙の綴じ口の開口部の反対側に、取りつけ、または軸への取りつけ部分を自由に曲がる柔らかい材料で構成して、取りつけたことを特徴とする両面見台つき新聞ホルダー。【選択図】図１
2009196336.tif 000002
【特許請求の範囲】
【請求項１】
複数個のくり抜きがあり剛性のある新聞紙大の薄い板を、新聞ホルダー軸の新聞紙の綴じ口の開口部の反対側に、取りつけたことを特徴とする両面見台つき新聞ホルダー。
【請求項２】
軸への取りつけ部分を自由に曲がる柔らかい材料で構成したことを特徴とする請求項１記載の両面見台つき新聞ホルダー。
【発明の詳細な説明】
【技術分野】
【０００１】  本発明は、ホルダーに綴じられた新聞を閲覧するとき「紙面」が垂れ下がったりせずに快適に閲覧するための、両面見台つき新聞ホルダーに関するものである。
【背景技術】
【０００２】  従来、新聞ホルダーは、ホテルのロビー等人の集まる場所において使用され、そこで、その新聞を整理整頓する側の人が管理し易い、単なる棒状の新聞綴じ具に新聞を綴じて架台に掛けて、使用されている。
【発明の開示】
【発明が解決しようとする課題】
【０００３】  それには、次のような問題点があった。
（イ）新聞の端がホルダーに綴じられているため、読もうとすると新聞全体をテーブル等の上に乗せねばならず、広い場所を必要とする。
（ロ）テーブルが無いときやロビーのソファー等に腰を下ろして新聞を閲覧するときは、ホルダーから垂れ下がる「紙面」を手とか脚で支えねばならず、常に工夫しながら閲覧していた。
本発明は以上の問題点を解決しようとするものである。
【課題を解決するための手段】
【０００４】  見台として新聞を支える、複数個のくり抜きを入れ軽くした、剛性のある新聞紙大の薄い板を、新聞ホルダー軸の新聞紙の綴じ口の開口部の反対側に、取りつけたことを特徴とする両面見台つき新聞ホルダーである。【０００５】  また、見台として新聞を支える、複数個のくり抜きを入れ軽くした、剛性のある新聞紙大の薄い板の軸への取りつけ部分を自由に曲がる柔らかい材料で構成したことを特徴とする上記の両面見台つき新聞ホルダーである。
【発明の効果】
【０００６】  薄い板をホルダーの軸の新聞を綴じる方向の反対側に取りつけることにより、綴じ代の少ない新聞紙の見開き近くの印刷部分が隠されることなく、新聞のどの面を見るときも、取りつけられた薄い板が、見台として新聞を支える。【０００７】  また、薄い板の軸への取りつけ部分を、自由に曲がる柔らかい材料で構成することにより、薄い板の取りつけ部が紙面と一緒にホルダーの軸に巻きつけることができ、新聞を数日分綴じる太いホルダー軸の場合にも、見開き近くの印刷部分が隠されることなく、新聞のどの面を見るときも、取りつけられた薄い板が自由に動き、見台として新聞を支える。【０００８】  以上のように、これらの両面見台つき新聞ホルダーは、閲覧者がどのような姿勢でホルダーを保持しても、読みたい紙面が垂れ下がったりせずに、ソファーに腰を下ろして快適に新聞を閲覧することができる。また、従来と同じ新聞掛け架台に、この新聞ホルダーを掛けて使用することができる。
【発明を実施するための最良の形態】
【０００９】  以下、本発明の実施の形態について説明する。
図１に示すように
（イ）ホルダー軸（１）に剛性のある新聞紙大の、くり抜き（２）を入れた薄い板（３）を、新聞ホルダー軸（１）の新聞紙の綴じ口の開口部の反対側に取りつける。
（ロ）さらに、ホルダー軸（１）に、新聞の端を押さえて新聞を固定する綴じ込み用クリップ（４）を１個以上取りつける。【００１０】そしてまたは、図２のように
（ハ）ホルダー軸（１）に新聞紙大で、取りつけ部分が自由に曲がる柔らかい材料（５）で構成した剛性のあるくり抜き（２）を入れた薄い板（３）を、上記と同じように開口部の反対の方向に取りつける。または、開口部と同一の方向に取りつけてもよい。
（ニ）さらに、ホルダー軸（１）に、新聞の端を押さえて新聞を固定する綴じ込み用クリップ（４）を１個以上取りつける。【００１１】  本発明は以上のような構造で、これを使用するときは、図３に示すように、新聞（６）を薄い板（３）を取りつけたホルダー軸（１）にのせ、綴じ込み用クリップ（４）でホルダーに綴じる。
ホルダーに綴じられた新聞を閲覧するときは、閲覧しない不用な「紙面」を薄い板（３）の裏側に追いやることにより、閲覧したい「紙面」が薄い板（３）の表側に置かれ「紙面」が支えられる。【００１２】  また、図４に示すように、取りつけ部分が自由に曲がる柔らかい材料（５）で構成した剛性のある薄い板（３）の場合には、薄い板（３）の取りつけ部が、紙面と一緒にホルダーの軸に巻きつけられ、新聞紙を数日分綴じる太いホルダー軸でも、薄い板（３）が自由に動き、見台として「紙面」が支えられる。【００１３】  以上により閲覧者がどのような姿勢でホルダーを持っても、両面用の見台のついた新聞ホルダーとして快適に閲覧することができる。
【図面の簡単な説明】
【００１４】
【図１】本発明の斜視図
【図２】本発明の柔らかい材料の取りつけ部の斜視図
【図３】本発明の使用例を示す斜視図
【図４】本発明の柔らかい材料の取りつけ部の使用例の部分拡大斜視図
【符号の説明】
【００１５】    １  ホルダー軸
２  くり抜き
３  薄い板
４  綴じ込み用クリップ
５  柔らかい材料
６  新聞
【図１】
2009196336.tif 000003
【図２】
2009196336.tif 000004
【図３】
2009196336.tif 000005
【図４】
2009196336.tif 000006
(57)【要約】【課題】１）本または資料を持たずに読書が可能で、しかも２）書類を手前に傾斜しても読むことが出来、尚且つ３）資料はそのままの状態でページをめくる事を課題とした。【解決手段】〔図３〕に示す如く資料を手前側に倒した状態で固定し、尚且つ資料中央を（２）の資料固定金棒で抑えるようにし、これを（３）資料固定金棒保持具を使い、（４）書類固定プレートに接続した。左右のページはこれをめくる度に（５）書類押さえ金具を移動し抑える。【選択図】図３
2009196338.tif 000002
【特許請求の範囲】
【請求項１】
（イ）市販の譜面台〔図１〕１に書類をセットした時に落下しないよう書類を開いた状態で、“書類支持金棒〔図１〕２”を書類の中央にセットする。ただしこの時〔図２〕２に示す如く曲がった方を下にし、譜面台１の書類セットプレートの下側を引っ掛けるようセットする。
（ロ）“〔図２〕３の指示金棒押さえ具”の穴に書類支持金棒の上部先端を通す。同時にＢＨＲの書類セットプレート上部の突起部分も指示金棒押さえ具のもう一方の溝に挿入する。
これにより書類の落下を防止し、書類を外すことなくページをめくることを可とした。
以上の構成によりなるＢＨＲ（Ｂｏｏｋｍａｎ  Ｈｅｌｐ  Ｒｅｃｅｉｖｅｒ）
【発明の詳細な説明】
【技術分野】
【０００１】  この発明は、読書をより便利にする為の学習用具であると同時に手又は体の不自由な人の為の医療用具に関するものである。
【背景技術】
【０００２】（イ）読書の補助具としてはパソコン、点字、携帯電話など、目の不自由な人の為の器具はたくさんある。
（ロ）本発明品の目的同様手を触れることなく本を読むことが出来る類似器具はあるが、ページをめくる際、都度本を器具から外さなければならない。
【発明の開示】
【発明が解決しようとする課題】
【０００３】それは次のような問題点があった。
（イ）読書を実行する際、本を手に持つか又は机等に置き、体の上半身を前傾しなければその目的を達成出来なかった。
（ロ）何とか本をこの読書補助具から都度外さなくてもページをめくれるようにできないものか。
本発明は以上の問題点を解決するために発明されたものである。
【課題を解決するための手段】
【０００４】（イ）読書の為の本を手に持たなくてもよいよう、又これを支える為に別紙〔図３〕に示すようＢＨＲ本体を考案したがさしずめ市販の譜面台を使用した。
（ロ）“〔図３〕の（上）”に示す如く部品２の資料押さえ金棒を設けるけることにより本の落下防止と同時に本がそのままの状態でページをめくる事が可能とした。
以上の構成よりなるＢＨＲである。
【発明の効果】
【０００５】  本発明を使用する事により世界中の読書家の姿勢を正し、目と健康に寄与し、就寝状態でも読書が可能、そして手、体の不自由な方の医療用器具としてもその効果を発揮するであろう。
【発明を実施するための最良の形態】
【０００６】以下、本発明の実施の形態を説明する。
（イ）まず〔図１〕の部品１のＢＨＲ本体を組み立てる。
書類固定プレートは少し手前に倒し、後部ねじでとめる。
（ロ）本又は資料を書類固定プレートにセットするが、資料は開いた文字側面を外側にして〔図２〕２の資料固定金棒を書類中央に沿わせ、下部Ｕ字部分を書類固定プレートの下側にひっかけるようセットする。
（ハ）〔図２〕２の資料固定金棒の上部先端部に〔図２〕３の固定具をセットするがこの固定具は金棒通過用穴と〔図２〕４書類固定プレートの上部突端部分が挿入できる溝が設けられている。これらを同時に挿入し、書類を固定する。
（ニ）書類固定プレートに備えられている〔図１〕５書類押さえ金具で左右のページが落下しないよう押さえつける。
（ホ）必要に応じページをめくる際は上記（ニ）の動作を繰り返す。
（ヘ）資料の入れ替えの際は（ロ）、（ハ）を繰り返す
本発明は以上の構成よりなっている。
【産業上の利用可能性】
【０００７】  本発明を使用する事によって、１）学習補助具として学校等でパソコンの横に置くなりして採用され、目や体の健康に貢献するであろう。２）医療用として病院等患者のそばに置き、本人または看護士、友人はもとより家族等が同時に書類を見ることが出来、読書の幅、心のケア等に貢献するであろう。
【図面の簡単な説明】
【０００８】
【図１】  本発明の斜視図
【図２】  本発明の側面断面図
【図３】  本発明の使用状態を示す一連の図（写真）であり（１）は本発明品使用状態の斜視図（２）書類設置部分の拡大図を示す。
【符号の説明】
【０００９】１  ＢＨＲ本体
２  資料固定金棒
３  資料固定金棒保持具
４  書類固定プレート
５  書類押え金具
【図１】
2009196338.tif 000003
【図２】
2009196338.tif 000004
【図３】
2009196338.tif 000005
(57)【要約】【課題】地図を見て、目的地をさがす時にその時の自分にとって必要の無い情報をカラーチェックシートを使用する事により地図上から消し、簡単に目的地をさがせる地図を提供する。【解決手段】地図を作成する時にグループ事（同じ様な建物）に同じ色を使い色分けをした地図を作り（出来る限り少ない種類の色）地図を見る時に、カラーチェックシートを上手に使い、自分に必要の無い情報を地図上から消しながら目的地をさがせる地図を作成する。【選択図】図１
2009282480.tif 000002
【特許請求の範囲】
【請求項１】
道路地図などを見る時にカラーチェックシートを使用する事によって、必要の無い情報を地図上から消し必要な情報だけを見て目的地、周辺をひと目でわかるようにした道路地図。
【発明の詳細な説明】
【技術分野】
【０００１】この発明は、道路地図を見て目的地をさがす時にカラーチェックシートを使用して、目的地以外を地図上から消し、目的地と週辺道路、途中の目印だけを浮かび上がらせ目的地までのルートを見やすく、わかりやすくした道路地図に関するものである。
【背景技術】
【０００２】従来の地図は印刷してある文字（記号）をそのまま見るだけで、カラーチェックシートなどを利用して心要の無い情報を地図上から消しさって見るような地図は無かった。
【発明の開示】
【発明が解決しようとする課題】
【０００３】ある目的地に行く為に地図を開いても、目的地以外の文字、記号がたくさん記入してある為、必要以外の情報が多すぎ、地図が見にくく、なれた人でないと使いにくいと言う難点があった、本発明はこの課題を解消する為になされたものである。
【課題を解決する為の手段】
【０００４】道路地図を印刷する時に、まず道路、まがり角、など目印になる情報（記号）を黒などの色で印刷をし、次に▲１▼銀行（ＡＴＭ）コンビニ▲２▼デパート（スーパー）▲３▼ガソリンスタンド▲４▼飲食店、遊技場、などを個々の色で印刷をし、その地図を見る時に色の色彩効果を利用する為にカラーチェックシートを使用してその時に必要の無い情報（記号）を地図上から消す（黒字と赤字で書いてある物に赤のカラーチェックシートを乗せると赤字が消える）、事によって必要な情報（記号）だけを浮き上がらせて、目的地を発見しやすく、そこまでの道、目印もわかりやすくする。
【発明の効果】
【０００５】始めて行く場所の地図を見た時でも、自分の必要としている情報に合ったカラーチェックシートを使用して地図を見る事によって、短時間で、目的地、ルート、目印などの情報を把握する事が出来る。
【実施例１】
【０００６】道路地図を印刷する時に、まず、道路、まがり角、信号、誰でもが知っているような建物やカンバンなどを基本となる色（黒など、カラーチェックシートの影響を受けない）で印刷をする。次に同じ紙に赤色で同じ様な情報（銀行｛ＡＴＭ｝・コンビニ）を印刷をする。又、次に同じ紙に緑色で同じ様な情報（デパート・スーパー・ＧＳ）を印刷をする。又、次に同じ紙にこんどは黄色で同じ情報（飲食店・遊技場）などを印刷をする。そして、出来上がった色々な情報が色分で印刷をされた地図で目的の場所をさがす時に、例ば目的地が赤色で印刷をされた物ならば、赤以外のカラーチェックシートを地図上に重ね、必要の無い情報を地図上から省き（緑のカラーチェックシートを使用すれば（デパート・スーパー・ＧＳ）などの情報が地図上から消える）地図がより単純な物となり、見やすくなる。
【図面の簡単な説明】
【０００７】
【図１】本発明の正面図である。
【符号の説明】
【０００８】１  道路（黒色）
２  信号（黒色）
３  カンバン（黒色）
４  コンビニ（赤色）
５  ＡＴＭ（赤色）
６  銀行（赤色）
７  パチンコ（黄色）
８  スーパー（緑色）
９  ＧＳ（緑色）
【図１】
2009282480.tif 000003
(57)【要約】      （修正有）【課題】カメラに装着したまま、カメラの棚保管、持ち運び、手持ち撮影を容易にする底面に平行なカメラ脚を提供する。【解決手段】自在に曲がる脚をカメラ底面と平行に突起を生じることなく取り付けることで、装着したままのカメラ保管や持ち運びや手持ち撮影が容易になり、セルフタイマー撮影時には新たに脚を装着することなくカメラを任意のアングルに支持できる底面に平行なカメラ脚。【選択図】図１
2009282479.tif 000002
【特許請求の範囲】
【請求項１】
自在に回転屈曲してカメラを支持し、カメラ底面に沿わせて収納でき、収納状態ではカメラに装着したまま水平面にカメラを立てた状態を保てることを特徴とする底面に平行なカメラ脚。
【発明の詳細な説明】
【技術分野】
【０００１】  本発明は、カメラに取り付けたままでも、保管、持ち運び、手持ち撮影に支障がなく、セルフタイマー撮影時にはカメラを任意のアングルに支持できる、底面に平行なカメラ脚に関するものである。
☆自在に曲がる脚をカメラ底面と平行に突起を生じることなく取り付けることで、装着したままの持ち運びや手持ち撮影が容易になり、セルフタイマー撮影時には新たに脚を装着することなくカメラを任意のアングルに支持できる底面に平行なカメラ脚に関するものである。
【背景技術】
【０００２】    従来のカメラ脚は、カメラに装着した状態では、棚保管、持ち運び、手持ち撮影に支障があり、通常はカメラから外しておき必要時に装着していた。
【発明の開示】
【発明が解決しようとする課題】
【０００３】そのために次のような問題があった。
（イ）  従来のカメラ脚は、カメラ底面に突起物として固定されるため、装着状態のままでは、カメラを直立させて保管できない、通常のカメラカバーケースに入れて持ち運べない、手持ち撮影の障害になるなどの支障があった。
（ロ）  セルフタイマー撮影には別途用意したカメラ脚を装着する手間がかかった。
本発明は、以上の問題点を解決するためになされたものである。
【課題を解決するための手段】
【０００４】  自在に回転屈曲できる脚をカメラ底面と平行させて装着できる構造にする。使用時は脚を回転屈曲させて任意の角度でカメラを支持する。使用しないときはカメラ底面に沿わせて平行に収納することで、カメラに装着したままでも、カメラ本体を立てた状態で保管でき、持ち運びや手持ち撮影を支障なく行える。以上を特徴とする底面に平行なカメラ脚である。
【発明の効果】
【０００５】  カメラ脚を装着したままカメラを使用することが容易になり、カメラ脚の別途持ち運びと装着の手間がはぶける。
また、セルフタイマー撮影においても直ちにカメラアングルをとることができる。
【発明を実施するための最良の形態】
【０００６】以下、本発明の実施の形態を説明する。
（イ）  カメラ脚取り付け用ボルト（１）を中心に回転できる可塑性の棒または板により作成した脚（２）をボルト（１）と直角に装着する。
（ロ）  カメラ本体（３）の脚取り付け用ねじ穴にボルト（１）を固定する。
（ハ）  脚（２）はカメラ本体（３）の底面と平行に収納される。
（ニ）  使用時は、脚（２）を回転させてカメラ本体（３）と角度を作り、可塑性を利用してカメラ本体（３）を任意の角度に支持する。
本発明は、以上の構成よりなっている。
本発明は、通常のカメラ脚取り付け用ねじ穴を利用して、常時、ボルト（１）によりカメラ本体（３）に装着した状態で用いる。カメラ本体（３）に装着した状態でも、カメラ底面と平行に突起なく取り付けられるため、カメラ脚を装着していない状態のカメラ本体（３）と同様に、カメラを立てた状態で保管したり、通常のカメラカバーケースに入れて持ち運んだり、支障なく手持ち撮影が可能になる。セルフタイマー撮影時は、新たにカメラ脚を装着することなく、脚（２）を台の上などに展開し任意のアングルでカメラ本体（３）を支持できる。
【図面の簡単な説明】
【０００７】
【図１】本発明の斜視図
【図２】本発明の使用状態を示す斜視図
【符号の説明】
【０００８】  １    取り付けボルト
２    脚
【図１】
2009282479.tif 000003
【図２】
2009282479.tif 000004
(57)【要約】【課題】メガネのレンズ面のよごれの除去【解決の手段】トマトの果実液汁もしくはその希釈液などを洗浄液として用いる。【選択図】なし【特許請求の範囲】
【請求項１】
トマト果汁液汁もしくはこの液汁を蒸留水または清水またはアルコールなどの溶媒及びこれに類するものなどで希釈した液体を用いメガネのレンズに生じた油膜などのよごれを取り去りクリヤーなレンズ面を得るメガネのレンズをクリヤアップする方法
【発明の詳細な説明】
【技術分野】
【０００１】  本発明はメガネ使用にあたって障害となるメガネレンズのよごれをを取り除く方法に関する。
【背景技術】
【０００２】  従来、メガネのレンズのよごれを除去する方法としては１、超音波を利用してよごれを取り除くもの、２、特にその目的のために開発した洗浄液を用いるもの、３、化学薬品を用いるもの、などがおこなわれている。
【発明の開示】
【発明が解決しようとする課題】
【０００３】  背景技術で前述した各条項について述べると１、はなによりも安くはない超音波洗浄器を用いるから手軽とはいえない。例シチズン製超音波洗浄器ＳＷ５８００。２、は例ソフト９９が発売する「メガネのシャンプー」があるがこのシャンプーで洗浄したメガネはシャンプー液で洗浄後水洗しなければならないから、および更にそれを乾燥しなければならないという手間と時間を必要とする。
３として
【特許文献１】特開平１１−１００６００号公報
【０００４】  本発明はこのような従来の各方法に比べ、より簡単で確実なメガネのレンズのクリヤアップ方法を提供するものである。
【課題を解決するための手段】
【０００５】  特許出願人はトマトの果実液汁にメガネのレンズのよごれを除去する効果のあることを見いだした。
トマトの果実（可食部）１００ｇ当たりの成分は平均してエネルギー１９ｋｃａｌ、水分（ｇ）９４、たんぱく質（ｇ）０．７、脂質（ｇ）０．１、炭水化物（ｇ）４．７、灰分（ｇ）０．５ナトリウム（ｍｇ）３、カリウム（ｍｇ）２１０、カルシウム（ｍｇ）７、マグネシウム（ｍｇ）９．リン（ｍｇ）２６、鉄（ｍｇ）０．２、亜鉛（ｍｇ）０．２、銅（ｍｇ）０．０４、カロテン（μｇ）５４０、ビタミンＥ（ｍｇ）０．９、ビタミンＫ（μｇ）４、ビタミンＢ１（ｍｇ）０．０５、ビタミンＢ２（ｍｇ）０．０２、ナイアシン（ｍｇ）０．７、ビタミンＣ（ｍｇ）１５などである。
（五訂日本食品標準成分表による）
【発明の効果】
【０００６】  しかしながらトマトからその有効成分を特定し、解明および分離特定することが本発明の目的ではない。本発明の目的とするところは、メガネのレンズをクリヤーにする方法を安価に提供することである。そしてなによりトマト果実液汁それ自体で本出願の眼目であるメガネのレンズをクリヤーにするという条件を十分に果たしうる能力を持っているからである。
かかる観点から本発明のメガネのレンズ面をクリヤーにする機能を安価に提供するには、トマトの果実液汁は、その有効成分自体を特別に分離もしくは精製することよりも、トマトの果実液汁それ自体をありのままに利用し必要以上に分離、精製などはしない。
【発明を実施するための最良の形態】
【０００７】  洗浄しようとするメガネのレンズにトマトの果実液汁またはその希釈液などをうすくいちように塗りつけ、これをやわらかい清潔な木綿布などでふき取ればよい。
【実施例１】
【０００８】  洗浄しようとするメガネのレンズ面にトマトの果実液汁をうすくぬり付け、しかる後にこのぬり付けた液をやわらかい清潔な木綿布などでふき取ればよい。この際レンズ面に液汁の残しなどふき残りが残る場合があるが、この場合レンズ面に軽く息を吹きかけて、さらにやわらかい木綿布などでふき取ればクリヤーなレンズ面を得ることができる。
【実施例２】
【０００９】  実施例１と同様、洗浄しようとするメガネのレンズ面にぬり付けるトマト果実の液汁を清水もしくは蒸留水などで２倍前後に薄めてもちいると、ふき残りなどが生じることが少なく、実施例１より更に良い結果が得られる場合がある。
【産業上の利用可能性】
【００１０】  日常的に身辺近くにあるトマト果実液汁もしくはその希釈液などを用いることにより、特別な装置、特殊な材料を用いる必要もなく容易に実施することが可能である。
(57)【要約】【課題】本発明の課題は外付けストロボがカメラの水平方向に回転でき、しかも外付けストロボに合致したメーカのカメラを装着でき、利便性を向上できるようにするものである。【解決手段】本発明は、回転可能で外付けストロボとカメラホットシュの間に介在された回転シューアダプタ本体と、該回転シューアダプタ本体の頭部側に設けられたアクセサリーシュ本体と、該アクセサリーシュー本体の前記外付けストロボの外付けストロボシューが装着される面に、異なるメーカの信号ピン及び発光ピンを二次面的に配置してなることを特徴とする回転シューアダプタ機構。【選択図】図２
2009282369.tif 000002
【特許請求の範囲】
【請求項１】
回転可能で外付けストロボとカメラホットシュの間に介在された回転シューアダプタ本体と、該回転シューアダプタ本体の頭部側に設けられたアクセサリーシュ本体と、該アクセサリーシュ本体の前記外付けストロボの外付けストロボシューが装着される面に、異なるメーカの信号ピン及び発光ピンを二次面的に配置してなることを特徴とする回転シューアダプタ機構。
【発明の詳細な説明】
【技術分野】
【０００１】
本発明は、外付けストロボをカメラに対して水平面で回転できるアダプタで、しかも異なるメーカのカメラであってもそのカメラに合致する外付けストロボを装着できる回転シューアダプタ機構に関するものである。
【背景技術】
【０００２】
従来の外付けストロボとカメラとはカメラの水平方向に外付けストロボを回転することはできなかったが、撮影の多用途の要求によって回転することが要求されてきた。そして、カメラのホットシュは個々にメーカの基準で機構が定められているので例えばキヤノン（商標名）のホットシュには電気的にこれに合致する専用のストロボ側シューを必要とする、従って、この専用のストロボ側シューを例えばニコン（商標名）のホットシュに機構的に装着できても信号ピン、発光ピンが接続されない機構になっていて不便である。
【０００３】
そこで、発明者はメーカが異なっていても専用のストロボ側シューを共通に装着できるか否かを検討したところ信号ピンと発光ピンを同一面に配置できることが可能であることを発見した。つまり異なるメーカでも発光ピン及び信号ピンの位置を二次面に重ならずに配置することができることが可能であることがわかった。従って、アダプタが回転できしかもカメラにあったカメラシューを装着できることになる。
【０００４】
従来はこういった考えの実現は無く、特許文献１は、内臓ストロボが同時に発光しないようにした構造にすることが提案されているのみであって、この提案には異なるメーカ専用のストロボをカメラの水平方向に回転できず、またカメラメーカに合致した外付けストロボを装着できないものである。
【特許文献１】特開平０９−２１８４４１号
【発明の開示】
【発明が解決しようとする課題】
【０００５】
本発明が解決しようとする課題は、外付けストロボがカメラの水平方向に回転でき、しかも外付けストロボに合致したメーカのカメラを装着でき、利便性を向上できるようにするものである。
【課題を解決するための手段】
【０００６】
課題を解決する手段は、回転可能で外付けストロボとカメラホットシュの間に介在された回転シューアダプタ本体と、該回転シューアダプタ本体の頭部側に設けられたアクセサリーシュ本体と、該アクセサリーシュ本体の前記外付けストロボの外付けストロボシューが装着される面に、異なるメーカの信号ピン及び発光ピンを二次面的に配置してなることを特徴とする回転シューアダプタ機構である。
【発明の効果】
【０００７】
本発明によれば、カメラに対して水平方向に外付けストロボが回転でき、しかも、カメラが異なっても同じ回転シューアダプタでカメラに合致する外付けストロボが装着できる利便性を高めた効果のある回転シューアダプタ機構が提供できるものである。
【発明を実施するための最良の形態】
【０００８】
本発明は、カメラに対して水平に回転できる回転シューアダプタ本体で、これにカメラメーカに合致した外付けストロボを装着する利便性を高めたアダプタである。
【実施例】
【０００９】
以下に、本発明の実施例に係る回転シューアダプタ機構について図１〜図５を参照して詳細に説明する。
【００１０】
本実施例に係る回転シューアダプタ本体１はアクセサリーシュ本体２とシュー台本体３及びシューリング４、ホットシューから構成される。前記アクセサリーシュ本体２は対向する方向に位置して構成され、これに外付けストロボシューが装着される。アクセサリーシュ本体２とシュー台本体２との内部構造は図３で示すようにベアリング７を配置して、水平走行に回転できるような構造を採用している。この場合、ある程度制動がかかって、不用意にアクセサリーシュ本体２が回転できないように調整される。
【００１１】
前記アクセサリーシュ本体２の頭部の平面部には複数個の信号ピン８と発光ピン９を配置する。この場合図１では信号ピン８の斜線で記述した信号ピン８と点々で表記した信号ピン８とに識別される。そして斜線表記の信号ピン８は例えばニコン（商標名）のカメラに対応する外付けストロボの信号ピンが対応し、点々で表記した信号ピン８はキャノン（商標名）のカメラに対応する外付けストロボの信号ピンが対応する。尚９は発光ピンで各社のカメラの発光ピンに共通に対応する。
【００１２】
しかして、ホットシュ５をカメラのカメラホットシュに装着し、このカメラに合致する外付けストロボシューをアクセサリーシュ本体２に装着する。これによってカメラと外付けストロボは回転自在になるが、やや制動がかかっているので勝手に回転することは無い。つまり、前記信号ピンは違うカメラの信号ピンが平面上で配置できるメーカのカメラを選ンでいるから、装着されたカメラメーカに対応した外付けストロボが装着できるものである。
【産業上の利用可能性】
【００１３】
本発明の回転シューアダプタ本体はカメラに対して水平回転でき、しかも、カメラに合致した外付けストロボを装着できるので産業上有益である。
【図面の簡単な説明】
【００１４】
【図１】本発明の実施例に係るアクセサリーシュ本体の上面図である。
【図２】本実施例に係る回転シューアダプタ本体の概略構成図。
【図３】本実施例に係るシュー台本体の一部断面図。
【図４】本実施例に係るアクセサリーシュ本体の上面で信号ピン及び発光ピンの配置図である。
【図５】本実施例に係るアクセサリーシュ本体の上面で信号ピン及び発光ピンの配置図である。
【符号の説明】
【００１５】
１    回転シューアダプタ
２    アクセサリーシュ本体
３    シュー台本体
４    シューリング
５    ホットシュ
６    ガイド本体
７    ベアリング
８    信号ピン
９    発光ピン
【図１】
2009282369.tif 000003
【図２】
2009282369.tif 000004
【図３】
2009282369.tif 000005
【図４】
2009282369.tif 000006
【図５】
2009282369.tif 000007
(57)【要約】【課題】従来の防犯ブザーでは、何度でも警告音を鳴らすことが出来るため、いたずらに使ってしまい、いざと言う時に警告音を鳴らしても、第三者からしてみれば、その信憑性は低くなっている。さらに、通報を受ける第三者を特定できず、その有無さえ疑われた。【解決手段】防犯ブザーを１度きりの使い捨てにすることで、いたずらに警告音を鳴らすことを防ぐ。本当に助けが必要な時にしか警告音を鳴らせないので、第三者かれしてみれば、その信憑性は一段と高いものになる。さらに予め決めておいた、通報を受ける特定の第三者へ、防犯ブザーに内蔵されたＧＰＳ６とビデオカメラ７で位置と状況を通知し、音声受信スピーカー９で適切な処置のアドバイスを受けることで、事件、事故を、迅速且つ適確に解決へと導くことが出来る。【選択図】図１
2009282944.tif 000002
【特許請求の範囲】
【請求項１】
ブザーの本体にフタ、通報機、ＧＰＳを設け、電池、絶縁体ピン、ビデオカメラ、音声発信スピーカー、電池、音声受信スピーカー、警告音スピーカーを内設したことを特徴とする通報機能付き使い捨て防犯ブザー。
【発明の詳細な説明】
【技術分野】
【０００１】  この発明は、通報機能付き使い捨て防犯ブザーに関するものである。
【背景技術】
【０００２】  従来の防犯ブザーの機能は、防犯ブザーの本体に、ヒモ付きピンが設けられたものであって、防犯ブザー本体からひも付きピンを離脱することで、警告音が鳴る構造のものであった。
【発明の開示】
【発明が解決しようとする課題】
【０００３】  従来より、次のような問題点があった。
（イ）防犯ブザーは、本体Ａからヒモ付きピンＢを離脱すれば、何度でも警告音を鳴らす      ことが出来るため、いたずらに使ってしまい、いざと言う時に警告音を鳴らしても      、不特定の第三者からしてみれば、その信憑性は低くなっている。
（ロ）通報を受ける第三者を特定できず、その有無さえ疑われた。
本発明は、以上の問題点を解決しようとするものである。
【課題を解決するための手段】
【０００４】  ブザーの本体にフタ、通報機、ＧＰＳを設け、電池、絶縁体ピン、ビデオカメラ、音声発信スピーカー、電池、音声受信スピーカー、警告音スピーカーを内設する。以上を特徴とする通報機能付き使い捨て防犯ブザーである。
【発明の効果】
【０００５】以下、本発明の効果を説明する。
（イ）防犯ブザーに、使い捨てにするためのフタを設けることで、いたずらや誤報を減ら      し、警告音の信憑性を高める。
（ロ）防犯ブザーに、電波による特定の第三者への通報機能を設けることで、電波の届く      場所ならば、確実に通報を行える。
（ハ）防犯ブザーに、ビデオカメラを設けることで、通報を受けた特定の第三者は、ビデ      オカメラの映像と音声を元に適切な処置を取ることができる。
（ニ）防犯ブザーに、ＧＰＳを設けることで、通報を受けた特定の第三者は、防犯ブザー      の持ら主の現在位置を瞬時に把握することができる。
（ホ）防犯ブザーに、音声受信スピーカーを設けることで、防犯ブザー使用者は、特定の      第三者から適切なアドバイスを受けることができる。
上記（イ）〜（ホ）により、事件、事故を、迅速且つ適確に、解決へと導くことが出来る。
本発明は、以上の効果を発揮する。
【発明を実施するための最良の形態】
【０００６】  この発明の一実施形態を、説明する。
防犯ブザーの本体１はプラスチック製であり、この本体１の先端には、プラスチック製の捻り切るタイプのフタ２が設けられている。このフタ２の切り口の内側には、本体１内蔵の電池４からの通報機５、ＧＰＳ６、ビデオカメラ７、音声送信マイク８、音声受信スピーカー９への通電を妨げるために、絶縁体ピン３が設けられている。又、本体１の切り口にも絶縁体ピン１２が設けられており、フタ２内蔵の電池１０から警告音スピーカー１１への通電を妨げる効果を成す。従って、本体１からフタ２を捻り取ることで、電池４から絶縁体ピン３が、電池１０から絶縁体ピン１２が離脱する。電池４は絶縁体ピン３を離脱することで通報機５、ＧＰＳ６、ビテオカメラ７、音声送信マイク８、音声受信スピーカー９への通電を開始する。同時に、電池１０は絶縁体ピン１２から離脱することで警告音スピーカー１１への通電を開始する。
図１では、通報機５、ＧＰＳ６、ビデオカメラ７、音声送信マイク８、音声受信スピーカー９は本体１に設けたものであったが、通報機５、ＧＰＳ６、ビデオカメラ７、音声送信マイク８、音声受信スピーカー９はフタ２に設けたものでも良い。
【図面の簡単な説明】
【０００７】
【図１】本発明の内部構造を示す断面図である。
【図２】本発明の使用状態を示す斜視図である。
【符号の説明】
【０００８】            １，防犯ブザー本体
２，捻り切るタイプのフタ
３，絶縁体ピン
４，電池
５，通報機
６，ＧＰＳ
７，ビデオカメラ
８，音声送信マイク
９，音声受信スピーカー
１０，電池
１１，警告音スピーカー
１２，絶縁体ピン
【図１】
2009282944.tif 000003
【図２】
2009282944.tif 000004
(57)【要約】【課題】これまで携帯電話、携帯用モバイルなどの入力キーは片手入力するタイプのものが主であり、入力の容易さ、入力スピードの点で課題があった。その課題を解決することを目的とした。【解決手段】携帯電話、携帯用モバイルなどのローマ字入力キーにおいて、縦型の場合、上部に母音キーとその他のキーを配置し、下部に子音キー、母音キーを含むその他のキーを配置する。横型の場合、左側に母音キーとその他のキーを配置し、右側に子音キー、母音キーを含むその他のキーを配置する。これにより携帯電話、および携帯用モバイルにおいて、両手によるローマ字入力が容易、また効率的にできるようになる。【選択図】図１
2009282941.tif 000002
【特許請求の範囲】
【請求項１】
携帯電話、携帯用モバイルなどで両手入力のできるローマ字入力キーの配列についての発明である。縦型の場合、上部に母音キーを配置し、下部に子音キーを含むその他のキーを配置する。横型の場合、左側に母音キーを配置し、右側に子音キーをふくむその他のキーを配置する。そうすることによって、携帯電話、携帯用モバイルなどで、両手によるローマ字入力が容易にできることを可能にする発明である。
【発明の詳細な説明】
【技術分野】
【０００１】本発明は、携帯電話、携帯用モバイルなどの両手入力可能なローマ字入力キーの配置についての発明である。
【発明が解決しようとする課題】
【０００２】これまで携帯電話、携帯用モバイルなどの入力キーは片手入力するタイプのものが主であり、入力の容易さ、入力スピードの点で課題があった。その課題を解決することを目的とした。
【課題を解決するための手段】
【０００３】携帯電話、携帯用モバイルなどのローマ字入力キーにおいて、縦型の場合、上部に母音キーとその他のキーを配置し、下部に子音キーを含むその他のキーを配置する。横型の場合、左側に母音キーとその他のキーを配置し、右側に子音キーを含むその他のキーを配置する。
【発明の効果】
【０００４】携帯電話、および携帯用モバイルにおいて、両手によるローマ字入力が容易、また効率的にできるようになる。
【図面の簡単な説明】
【０００５】
【図１】キー縦型、画面縦型の場合のキー配置図
【図２】キー縦型、画面横型の場合のキー配置図
【図３】キー横型、画面横型の場合のキー配置図
【図４】キー横型、画面中央の場合のキー配置図
【図５】キー横型、画面中央で、母音キーが右側にもある場合のキー配置図
【図６】キー配置の例（１）
【図７】キー配置の例（２）
【符号の説明】
【０００６】          １  母音キーとその他のキー
２  子音キーと母音キーを含むその他のキー
３  液晶画面
【図１】
2009282941.tif 000003
【図２】
2009282941.tif 000004
【図３】
2009282941.tif 000005
【図４】
2009282941.tif 000006
【図５】
2009282941.tif 000007
【図６】
2009282941.tif 000008
【図７】
2009282941.tif 000009
(57)【要約】【課題】  簡単な操作で数値の加算又は減算の概算値が得られ、携帯にも便利なノッチ式概算カウンターを提供する。【解決手段】  目盛りを表示した本体にレールにノッチを設け、レール内に数値を指示するスライダーを設け、目盛りの単位分の値をスライダーにてカウントすることにより、加算又は減算された数値を得られることを特徴とするノッチ式概算カウンター。【選択図】図１
2009282943.tif 000002
【特許請求の範囲】
【請求項１】
両側に目盛りを表示した本体にレールとなる溝にノッチを設け、レール内に数値を指示するスライダーを設け、目盛りの単位分の値をスライダーにてカウントすることにより、加算又は減算された数値を得られることを特徴とするノッチ式概算カウンター。
【請求項２】
目盛りを表示した本体に縦列又は並列の複数のレールとなる溝にノッチを設け、レール内に数値を指示するスライダーを設け、目盛りの単位分の値をスライダーにてカウントすることにより、加算又は減算された数値を得られることを特徴とする請求項１記載のノッチ式概算カウンター。
【請求項３】
表面及び裏面に目盛りを表示した本体にレールとなる穴にノッチを設け、レール内に数値を指示するスライダーを設け、目盛りの単位分の値をスライダーにてカウントすることにより、加算又は減算された数値を得られることを特徴とする請求項１、２記載のノッチ式概算カウンター。
【発明の詳細な説明】
【技術分野】
【０００１】  本発明は、簡易的に数値の加算又は減算をするノッチ式概算カウンターに関する。
【背景技術】
【０００２】  従来、数値を加算又は減算をするものとして、電子式計算機やそろばんなどを使用することが主である。しかし、これらのものでは移動しながらの使用には使いにくいものである。
又、数値を加算するものとして、回転式カウンターなどがあるが数値分だけカウントしなければならない為、概算値でよい場合では手間がかかり過ぎる。
【発明の開示】
【発明が解決しようとする課題】
【０００３】  電子式計算機やそろばんなどの移動しながらの使用は、基本的に両手を使うこととなり荷物を持っての使用は難しい。又、衝撃がかかった時や落下した場合、表示していた数値に狂いが生じたり、本体そのものが破損しやすい。
回転式カウンターはカウント数そのものが数値として表示される構造の為、カウント数が多い場合不便である。又、落下した場合に表示していた数値に狂いが生じやすい。更に、基本的に減算及び加算の繰り返しには使用できない。
【課題を解決するための手段】
【０００４】  請求項１記載のノッチ式概算カウンターは、ノッチのついたレールを設けそのレール内を数値を指示するスライダーを移動させることにより目盛りの値を読むもので、スライダーにはラッチが内蔵していて、ラッチがノッチにはまることによりスライダ−の位置保持とノッチの数のカウントとなり、目盛りは使用内容により一定の単位値が刻んであり、数値を加算及び減算する場合、単位あたり分スライダーを移動させることにより概算値が得られるように構成したものである。【０００５】  請求項２記載のノッチ式概算カウンターは、ノッチのついたレールを縦列又は並列に複数設けそのレール内を数値を指示するスライダーを移動させることにより目盛りの値を読むもので、スライダーにはラッチが内蔵していて、ラッチがノッチにはまることによりスライダーの位置保持とノッチの数のカウントとなり、目盛りは使用内容により一定の単位値が刻んであり、数値を加算及び減算する場合、単位あたり分スライダーを移動させることにより概算値が得られる。又、複列にすることにより一列目を一つの単位値とし二列目に表示したり、各レールにそれぞれの単位値を刻んで別々の概算値の加算及び減算ができるように構成したものである。【０００６】  請求項３記載のノッチ式概算カウンターは、ノッチのついたレールを設けそのレール内を数値を指示する印を両面に設置したスライダーを移動させることにより目盛りの値を読むもので、スライダーにはラッチが内蔵していて、ラッチがノッチにはまることによりスライダーの位置保持とノッチの数のカウントとなり、本体の両面に目盛りを設け、それぞれの目盛りは使用内容により一定の単位値が刻んであり、数値を加算及び減算する場合、単位あたり分スライダーを移動させることにより概算値が得られるように構成したものである。
【発明の効果】
【０００７】以上のように本発明のノッチ式概算カウンターは、ノッチのついたレール内を数値を指示するスライダーをカウント移動させることにより数値を加算及び減算し概算値を得られる。
請求項１及び２記載のノッチ式概算カウンターにおいては片手にて操作することができ、更にくぼみなどを設けることにより本体の向きを判別でき、本体を目視しなくても操作が可能である。又、衝撃や落下に対しても本体に剛性があれば破損しにくく目盛りの表示値の狂いも少ない。
目盛りの表記によりさまざまな単位の加算及び減算ができその概算値が得られる。
請求項３記載のノッチ式概算カウンターにおいては、一つの本体の両面が使用できより多くの単位値が表記でき用途が広がる。更にくぼみなどを設けることにより本体の表裏及び向きを判別でき、本体を目視しなくても操作が可能である
【図面の簡単な説明】
【０００８】
【図１】本発明の単列ノッチ式概算カウンターの斜視図
【図２】本発明の並行複列ノッチ式概算カウンターの分解斜視図
【図３】本発明のノッチ式両面概算カウンターの斜視図  （ａ）は表面。（ｂ）は裏面。
【符号の説明】
【０００９】    １  ノッチ式概算カウンター本体
２  ノッチ
３  レール
４  スライダー
５  目盛り
６  印
７  ラッチ
８  表面
９  裏面
１０  くぼみ
【図１】
2009282943.tif 000003
【図２】
2009282943.tif 000004
【図３】
2009282943.tif 000005